(57)【要約】【課題】  自動車のラゲージフロア床面に設けられた収納凹部１内を効率的に照明して、収納凹部１内での作業性の向上を図る。【解決手段】  フロアボード２に設けられた貫通孔に装着される取手本体１１と、この取手本体１１へ回動自在に組み付けられた操作ハンドル１２とを含む取手ユニット１０を備えている。そして、操作ハンドル１２の把持部１２ｃの表面にタッチセンサ２０を設ける。このタッチセンサ２０に人体が接近又は接触したとき発光ダイオード１９を点灯させる構成とした。【選択図】      図５
2007320422.tif 000002
【特許請求の範囲】
【請求項１】
ラゲージフロアの床面に設けられた収納凹部が当該床面に開口しており、その開口部はフロアボードによって開閉自在となっている自動車において、前記収納凹部内を照明するための照明装置であって、
前記フロアボードに装着される取手ユニットと、
この取手ユニットに組み込まれ、前記フロアボードの裏面側から前記収納部内へ光を照射する光源と、
前記取手ユニットに組み込まれ、前記光源を点灯させるスイッチ手段と、を備えたことを特徴とする照明装置。
【請求項２】
前記スイッチ手段は、操作者による前記取手ユニットを把持する操作に伴い前記光源を点灯させる構成であることを特徴とする請求項１の照明装置。
【請求項３】
前記取手ユニットは、前記フロアボードに設けられた貫通孔に装着される取手本体と、この取手本体へ回動自在に組み付けられた操作ハンドルとを含み、
前記スイッチ手段は、前記操作ハンドルの把持部表面に設けられたタッチセンサと、このタッチセンサに人体が接近又は接触したとき前記光源を点灯させる制御回路と、を含むことを特徴とする請求項１又は２の照明装置。
【請求項４】
前記取手ユニットは、前記フロアボードに設けられた貫通孔に装着される取手本体と、この取手本体へ回動自在に組み付けられた操作ハンドルとを含み、
前記スイッチ手段は、前記取手本体の表面であって前記操作ハンドルを把持した操作者の手が接近又は接触する位置に設けられたタッチセンサと、このタッチセンサに人体の接近又は接触したとき前記光源を点灯させる制御回路と、を含むことを特徴とする請求項１又は２の照明装置。
【請求項５】
前記取手ユニットは、前記フロアボードに設けられた貫通孔に装着される取手本体と、この取手本体へ回動自在に組み付けられた操作ハンドルとを含み、
前記操作ハンドルは、常態では前記取手本体の表面に形成した凹部に収容され、回動軸を境界として一方向に把持部が張り出すとともに、他方向に押圧操作部が張り出しており、当該押圧操作部の表面を押圧操作することで前記把持部が前記凹部から露出する構成となっており、
前記スイッチ手段は、前記操作ハンドルの押圧操作部表面に設けられたタッチセンサと、このタッチセンサに人体が接近又は接触したとき前記光源を点灯させる制御回路と、を含むことを特徴とする請求項１又は２の照明装置。
【請求項６】
前記スイッチ手段は、前記取手ユニットにおける前記フロアボードの裏面側に露出する部分に設けられたタッチセンサと、このタッチセンサに人体が接近又は接触したとき前記光源を点灯させる制御回路と、を含むことを特徴とする請求項１又は２の照明装置。
【請求項７】
前記制御回路は、前記タッチセンサに人体が接近又は接触している間は前記光源を点灯させるとともに、前記タッチセンサから人体が一定の距離以上に離間したとき前記光源を消灯させることを特徴とする請求項３乃至６のいずれか一項に記載の照明装置。
【請求項８】
前記制御回路は、前記タッチセンサに人体が接近又は接触したとき前記光源を点灯させるとともに、当該点灯タイミングから所定の時間が経過した後に前記光源を消灯させることを特徴とする請求項３乃至６のいずれか一項に記載の照明装置。
【請求項９】
前記取手ユニットは、前記フロアボードに設けられた貫通孔に装着される取手本体と、この取手本体へ回動自在に組み付けられた操作ハンドルとを含み、
前記スイッチ手段は、前記操作ハンドルの常態位置からの回動を検知するメカニカルスイッチと、このメカニカルスイッチによる前記操作ハンドルの常態位置からの回動検知に基づき前記光源を点灯させる制御回路と、を含むことを特徴とする請求項１の照明装置。
【請求項１０】
前記スイッチ手段は、前記収納凹部の開口部から前記フロアボードが開く動作を検知するメカニカルスイッチと、このメカニカルスイッチによる前記フロアボードの開き動作検知に基づき前記光源を点灯させる制御回路と、を含むことを特徴とする請求項１の照明装置。
【請求項１１】
前記フロアボードは、前記収納凹部の開口部から着脱自在であり、
当該フロアボード又は前記取手ユニットに前記光源へ電力を供給するための電源を組み込んだことを特徴とする請求項１乃至１０のいずれか一項に記載の照明装置。
【発明の詳細な説明】
【技術分野】
【０００１】
この発明は、自動車のラゲージフロア床面に設けられた収納凹部を照明するための照明装置に関する。
【背景技術】
【０００２】
例えば、ワゴンタイプの自動車にあっては、ラゲージフロアの床面に、スペアタイヤや工具を収納しておくための収納凹部が設けられている。
さて、セダンタイプの自動車のトランクルームにあっては、従来から内部を照明するための照明装置が設けられている（例えば、特許文献１参照）。一方、上述したようなラゲージフロア床面の収納凹部には照明装置が設けられておらず、もっぱら自動車室内の天井部に設けられたルームランプからの光線を取り込んで収納凹部内を照らす構造となっていた。
【特許文献１】実開平４−４２４４２号公報
【発明の開示】
【発明が解決しようとする課題】
【０００３】
上述した収納凹部は、常時、ラゲージフロア床面への開口部がフロアボードによって閉塞されており、工具やスペアタイヤ等の収容物は、このフロアボードを開いて取り出されるが、フロアボードの開き角度によっては、ルームランプからの光線をフロアボードが遮ってしまい、特に夜間にあっては収納凹部内の視認性がきわめて悪くなることがあった。
【０００４】
本発明はこのような事情に鑑みてなされたもので、自動車のラゲージフロア床面に設けられた収納凹部内を効率的に照明して、収納凹部内での作業性の向上を図ることを目的とする。
【課題を解決するための手段】
【０００５】
上記目的を達成するために、請求項１の発明は、ラゲージフロアの床面に設けられた収納凹部が当該床面に開口しており、その開口部はフロアボードによって開閉自在となっている自動車において、前記収納凹部内を照明するための照明装置であって、
前記フロアボードに装着される取手ユニットと、
この取手ユニットに組み込まれ、前記フロアボードの裏面側から前記収納部内へ光を照射する光源と、
前記取手ユニットに組み込まれ、前記光源を点灯させるスイッチ手段と、を備えたことを特徴とする。
【０００６】
請求項２の発明は、請求項１を前提として、前記スイッチ手段が、操作者による前記取手ユニットを把持する操作に伴い前記光源を点灯させる構成であることを特徴とする。
【０００７】
請求項３の発明は、請求項１又は２を前提として、前記取手ユニットが、前記フロアボードに設けられた貫通孔に装着される取手本体と、この取手本体へ回動自在に組み付けられた操作ハンドルとを含み、
前記スイッチ手段は、前記操作ハンドルの把持部表面に設けられたタッチセンサと、このタッチセンサに人体が接近又は接触したとき前記光源を点灯させる制御回路と、を含むことを特徴とする。
【０００８】
請求項４の発明は、請求項１又は２を前提として、前記取手ユニットが、前記フロアボードに設けられた貫通孔に装着される取手本体と、この取手本体へ回動自在に組み付けられた操作ハンドルとを含み、
前記スイッチ手段は、前記取手本体の表面であって前記操作ハンドルを把持した操作者の手が接近又は接触する位置に設けられたタッチセンサと、このタッチセンサに人体の接近又は接触したとき前記光源を点灯させる制御回路と、を含むことを特徴とする。
【０００９】
請求項５の発明は、請求項１又は２を前提として、前記取手ユニットが、前記フロアボードに設けられた貫通孔に装着される取手本体と、この取手本体へ回動自在に組み付けられた操作ハンドルとを含み、
前記操作ハンドルは、常態では前記取手本体の表面に形成した凹部に収容され、回動軸を境界として一方向に把持部が張り出すとともに、他方向に押圧操作部が張り出しており、当該押圧操作部の表面を押圧操作することで前記把持部が前記凹部から露出する構成となっており、
前記スイッチ手段は、前記操作ハンドルの押圧操作部表面に設けられたタッチセンサと、このタッチセンサに人体が接近又は接触したとき前記光源を点灯させる制御回路と、を含むことを特徴とする。
【００１０】
請求項６の発明は、請求項１又は２を前提として、前記スイッチ手段が、前記取手ユニットにおける前記フロアボードの裏面側に露出する部分に設けられたタッチセンサと、このタッチセンサに人体が接近又は接触したとき前記光源を点灯させる制御回路と、を含むことを特徴とする。
【００１１】
請求項７の発明は、請求項３乃至６のいずれか一項を前提として、前記制御回路が、前記タッチセンサに人体が接近又は接触している間は前記光源を点灯させるとともに、前記タッチセンサから人体が一定の距離以上に離間したとき前記光源を消灯させることを特徴とする。
【００１２】
請求項８の発明は、請求項３乃至６のいずれか一項を前提として、前記制御回路が、前記タッチセンサに人体が接近又は接触したとき前記光源を点灯させるとともに、当該点灯タイミングから所定の時間が経過した後に前記光源を消灯することを特徴とする。
【００１３】
請求項９の発明は、請求項１を前提として、前記スイッチ手段が、前記操作ハンドルの常態位置からの回動を検知するメカニカルスイッチと、このメカニカルスイッチによる前記操作ハンドルの常態位置からの回動検知に基づき前記光源を点灯させる制御回路と、を含むことを特徴とする。
【００１４】
請求項１０の発明は、請求項１を前提として、前記スイッチ手段が、前記収納凹部の開口部から前記フロアボードが開く動作を検知するメカニカルスイッチと、このメカニカルスイッチによる前記フロアボードの開き動作検知に基づき前記光源を点灯させる制御回路と、を含むことを特徴とする。
【００１５】
請求項１１の発明は、請求項１乃至１０のいずれか一項を前提として、前記フロアボードが、前記収納凹部の開口部から着脱自在であり、
当該フロアボード又は前記取手ユニットに前記光源へ電力を供給するための電源を組み込んだことを特徴とする。
【００１６】
請求項１の発明によれば、取手ユニットに組み込まれた光源が、フロアボードの裏面側から収納部内へ光を照射するので、収納凹部内が明るく効率的に照明され、その結果、収納凹部内での作業性が向上する。
ここで、光源や光源を点灯させるスイッチ手段は、いずれも取手ユニットに組み込まれるので、取手ユニットをフロアボードに装着するだけで、光源やスイッチ手段の各構成要素も取手ユニットとともにフロアボードに装着できる。このため、自動車の生産稼働率向上にも寄与する。
【００１７】
次に、請求項２の発明によれば、操作者による取手ユニットの把持操作に伴いスイッチ手段が作動して光源を点灯させる構成となっているので、操作者が取手ユニットを把持してフロアボードを開く操作に伴い、自動的に光源が点灯して収納凹部内を照明する。よって、いちいち個別のスイッチ操作を行うことなく収納凹部内を照明でき、きわめて良好な作業性を得ることができる。
【００１８】
例えば、請求項３の発明のごとく、操作ハンドルの把持部表面にタッチセンサを設けることで、操作者が取手ユニットを把持してフロアボードを開く操作に伴い、操作者の手がタッチセンサに接近又は接触して自動的に光源が点灯し、収納凹部内を照明することができる。
【００１９】
同様に、請求項４の発明のごとく、取手本体の表面であって操作ハンドルを把持した操作者の手が接近又は接触する位置にタッチセンサを設けることによっても、操作者が取手ユニットを把持してフロアボードを開く操作に伴い、操作者の手がタッチセンサに接近又は接触して自動的に光源が点灯し、収納凹部内を照明することができる。
【００２０】
また、請求項５の発明のごとく、操作ハンドルの押圧操作部表面にタッチセンサを設けることで、操作者が押圧操作部を押して把持部を凹部から露出させる操作に伴い、操作者の指がタッチセンサに触れて自動的に光源が点灯し、収納凹部内を照明することができる。
【００２１】
請求項６の発明によれば、タッチセンサを、取手ユニットにおけるフロアボードの裏面側に露出する部分に設けたので、フロアボードが開いた状態にあっても操作者が無理なくタッチセンサに触れられるので、容易に光源を点灯させておくことができる。
【００２２】
請求項７の発明によれば、タッチセンサが人体の接触を検知しなくなったときこれに基づいて光源を自動的に消灯させるので、光源の消し忘れを防止できる。同様に、請求項８の発明によっても、タッチセンサに人体が接近又は接触してから一定の時間経過後に自動的に光源を消灯させるので、光源の消し忘れを防止できる。
【００２３】
請求項９の発明によれば、操作者による操作ハンドルの回動操作に伴いスイッチ手段が作動して光源を点灯させる構成となっているので、操作者が操作ハンドルを把持して（このとき操作ハンドルが回動する）、フロアボードを開いたとき、自動的に光源が点灯して収納凹部内を照明する。よって、いちいち個別のスイッチ操作を行うことなく収納凹部内を照明でき、きわめて良好な作業性を得ることができる。
【００２４】
また、請求項１０の発明も、フロアボードが開いたとき、自動的に光源が点灯して収納凹部内を照明する。よって、いちいち個別のスイッチ操作を行うことなく収納凹部内を照明でき、きわめて良好な作業性を得ることができる。
【００２５】
フロアボードが収納凹部の開口部から着脱自在のときは、自動車のバッテリーから光源の電力を供給するための電源コードが邪魔になる。そこで、かかる構成にあっては、請求項１１の発明のごとく、フロアボード又は取手ユニットに光源へ電力を供給するための電源を組み込むことで、自動車バッテリーにつなげる電源コードを不要にでき、構成をすっきりとまとめることができる。
【発明の効果】
【００２６】
以上説明したように、本発明によれば、取手ユニットに組み込まれた光源が、フロアボードの裏面側から収納部内へ光を照射するので、収納凹部内が明るく効率的に照明され、その結果、収納凹部内での作業性が向上する。
【発明を実施するための最良の形態】
【００２７】
以下、この発明の実施の形態について図面を参照して詳細に説明する。
図１乃至図９は、本発明の実施形態に係る照明装置を説明するための図である。
図１に示すように、ワゴンタイプの自動車のラゲージフロア（カーゴフロアともいう）には、床面にスペアタイヤや工具を収納しておくための収納凹部１が設けられている。収納凹部１は、ラゲージフロアの床面に開口しており、その開口部にフロアボード２が開閉自在に装着されている。
フロアボード２は、一端縁側を回動中心として回動自在であり、他端縁の中央近傍位置に取手ユニット１０が装着されている（図２参照）。フロアボード２は、常態では収納凹部１の開口を閉塞しており、この常態位置から取手ユニット１０を把持して回動操作することにより、収納凹部１の開口を開くことができる。
【００２８】
図３に示すように、取手ユニット１０は、プラスチック等の絶縁材料からなり、取手本体１１と、操作ハンドル１２とを含む。取手本体１１は、フロアボード２に穿設された貫通孔２ａに嵌め込み（図５参照）、ビス止め等の締結手段をもって装着される。操作ハンドル１２は、外形が四角形状をしており、支軸１３により取手本体１１へ回動自在に組み付けられる。支軸１３（すなわち、回動中心）は、操作ハンドル１２の一端縁側の辺１２ａとほぼ平行に配置されている。操作ハンドル１２には、切欠部１２ｂが形成してあり、この切欠部１２ｂと他端縁側の辺とに囲まれた部分が把持部１２ｃとなっている。操作者は切欠部１２ｂに親指を除く４本の指を挿入して把持部１２ｃを把持する（図５（ｂ）参照）。
【００２９】
取手本体１１の表面には、操作ハンドル１２を収容するための凹部１１ａが形成してあり、この凹部１１ａに対応する部位が裏面側に膨出している。操作ハンドル１２が凹部１１ａに収容された状態において、操作ハンドル１２の切欠部１２ｂが配置される取手本体１１の一部領域には凹部１１ａが形成されていない。取手本体１１を裏面からみると、この一部領域に対応する部位が凹部（裏面凹部１１ｂ）となっている（図４参照）。
操作ハンドル１２は、図示しないばね部材によって凹部１１ａへ収容される方向に付勢されており、常態（すなわち、操作者によって把持操作されていない状態）にあっては、図５（ａ）に示すように凹部１１ａに収容されている。
【００３０】
本実施形態では、図４、図５に示すように、取手本体１１の裏面凹部１１ｂ内に回路基板１５と反射ミラー１６とを組み込み、さらに開口部に拡散レンズ１７を装着している。裏面凹部１１ｂの開口部に拡散レンズ１７を装着することで、裏面凹部１１ｂ内への塵埃や水分の進入が抑制される。
回路基板１５には、タッチセンサ２０の制御回路を構成する制御部品１８と、光源としての発光ダイオード１９（ＬＥＤ）が半田付けされている。この回路基板１５は、裏面凹部１１ｂの天井面に接着固定してある。反射ミラー１６には、発光ダイオード１９を露出させる透孔１６ａが設けてあり、その周囲の表面は鏡面に形成されている。反射ミラー１６は、回路基板１５と開口部との中間部に固定して設けられており、発光ダイオード１９からの光線を拡散レンズ１７の方向へ反射させる。
【００３１】
また、操作ハンドル１２の把持部１２ｃには、その表面に導電性のセンシングテープ等で構成されたタッチセンサ２０が設けてある（図３、図５参照）。このタッチセンサ２０には、把持部１２ｃを握った操作者の手が触れる。
【００３２】
タッチセンサ２０には、図６に示すように導電コード２１の一端が連結してあり、この導電コード２１の他端はコネクタ２２を介して回路基板１５に接続されている。なお、コネクタ２２からは２本の電源コード２３ａ，２３ｂも導出している。これら導電コード２１および電源コード２３ａ，２３ｂを裏面凹部１１ｂ内へ導き入れるために、裏面凹部１１ｂの側壁には導入孔１１ｃが設けてある。裏面凹部１１ｂの内部には塵埃や水分の付着に弱い回路基板１５が配設されているため、この導入孔１１ｃと導電コード２１および電源コード２３ａ，２３ｂとの隙間は、ゴムパッキン等により閉塞しておくことが好ましい。
【００３３】
図７は本実施形態に係る照明装置の電気系統を示す回路ブロック図である。同図に示すように、１本の電源コード２３ａは自動車のバッテリーへ接続され、他の１本の電源コード２３ｂは接地されている。発光ダイオード１９は、２本の電源コード２３ａ，２３ｂの間に直列に設けられている。そして、その直列回路の間にタッチセンサ２０の制御回路を構成する制御部品１８が介在しており、この制御部品１８が、発光ダイオード１９への電源供給をＯＮ／ＯＦＦする構成となっている。
【００３４】
制御部品１８には、バッテリーからの電源が供給されており、さらにタッチセンサ２０が接続されている。タッチセンサ２０と制御部品１８は、いわゆる静電容量センサを構成している。すなわち、制御部品１８の内部には静電容量の変化を検出する回路が構成されており、タッチセンサ２０に操作者の指が触れたとき、その静電容量に変化が生じて当該操作者の指の接触を検知する構成となっている。制御部品１８は、操作者の指（人体）を検知したとき、発光ダイオード１９への電源供給をＯＮにする。これにより、発光ダイオード１９が発光する。
【００３５】
なお、タッチセンサ２０に人体が接近したとき静電容量が変化して、当該人体の接近を検知する非接触型の静電容量センサも市販されており、この種の非接触型静電容量センサを適用することもできる。
【００３６】
図８は取手ユニット１０が装着されたフロアボード２の裏面を示す斜視図である。同図に示すように、取手本体１１の裏面はフロアボード２の裏面に露出している。したがって、発行ダイオードから発射される光線は、拡散レンズ１７で発散されて広い角度範囲にフロアボード２の裏面から発射される。
【００３７】
次に、図９及び図５を参照して、上述した照明装置の作用を説明する。
ラゲージフロアの床面に設けられた収納凹部１から収納物を取り出す際には、操作ハンドル１２の把持部１２ｃを握り、フロアボード２を引き上げるようにする。この操作によって、フロアボード２が回動して、収納凹部１の開口が開く（図５（ｂ）、図９（ｂ）参照）。ここで、操作者が操作ハンドル１２の把持部１２ｃを握ると同時に、操作者の手がタッチセンサ２０に触れる。そうすると、図７に示した制御部品１８が発光ダイオード１９への電源供給をＯＮにする。これにより、発光ダイオード１９が自動的に発光する。
【００３８】
発光ダイオード１９からの光線は、拡散レンズ１７で発散されて広い角度範囲にフロアボード２の裏面から発射され、対向する収納凹部１の内部に照射される。よって、収納凹部１内が明るく効率的に照明され、その結果、収納凹部１内での作業性が向上する。
【００３９】
なお、本発明は上述した実施形態に限定されるものではない。
例えば、操作ハンドルを常態へ戻る方向に付勢しているばね部材を金属製のねじりコイルばねで構成し、このねじりコイルばねを導電コード２１の代わりとし、このねじりコイルばねを介してタッチセンサ２０と回路基板１５とを電気的に接続することもできる。
【００４０】
図１０に示すように、回路基板１５、反射ミラー１６、および拡散レンズ１７を揺動部材３０に組み込み、当該揺動部材３０を取手本体１１の裏面へ揺動自在に装着することもできる。揺動部材３０は、フロアボード２の回動角度にかかわらず、自重によって拡散レンズ１７を常に一定の方向へ向けておくことができる。その拡散レンズ１７の方向を、発光ダイオード１９からの光線が無駄なく収納凹部１内へ取り込まれる方向に設定しておけば、収納凹部１が明るく照射されるので、この構成によってもいっそう快適な作業性を得ることができる。
【００４１】
また、図１１、図１２に示すように、タッチセンサ２０は、取手本体１１の表面であって操作ハンドル１２を把持した操作者の手が接近又は接触する部位１１ｄに設けることもできる。このような部位１１ｄにタッチセンサ２０を設けても、操作者が操作ハンドル１２の把持部１２ｃを握ると同時に、操作者の指の甲がタッチセンサ２０に接近又は接触する（図１２（ｃ）参照）。そうすると、制御部品１８が発光ダイオード１９への電源供給をＯＮにする。これにより、発光ダイオード１９が自動的に発光する。
【００４２】
また、図１２に示すように、フロアボード２が一定の角度回動して収納凹部１を開いた状態（図９（ｂ）の状態）を想定し、当該フロアボード２の位置で、発光ダイオード１９からの光線が無駄なく収納凹部１内へ取り込まれるよう、回路基板１５、反射ミラー１６、および拡散レンズ１７をあらかじめ傾けて取手本体１１に組み込んでおけば、収納凹部１がさらに明るく照射され、いっそう快適な作業性を得ることができる。
【００４３】
タッチセンサ２０は、図１３、図１４に示すように、操作ハンドル１２における押圧操作部１２ｅの表面に設けることもできる。操作ハンドル１２は、常態では取手本体１１の表面に形成した凹部１１ａに収容され（図１４（ａ）参照）、回動軸１３を境界として一方向に把持部１２ｃが張り出すとともに、他方向に押圧操作部１２ｅが張り出している。この押圧操作部１２ｅの表面を操作者が押圧操作することで、把持部１２ｃが凹部１１ａから露出する（図１４（ｂ）参照）。
操作者が押圧操作部１２ｅを押して把持部１２ｃを凹部１１ａから露出させる操作に伴い、操作者の指がタッチセンサ２０に接触する。そうすると、制御部品１８が発光ダイオード１９への電源供給をＯＮにする。これにより、発光ダイオード１９が自動的に発光する。
【００４４】
図１５に示すように、タッチセンサ３１を取手ユニット１０の裏面にも設けておけば、図１６に示すように、フロアボード２が開いた状態にあっても操作者が無理なくタッチセンサ３１に触れられるので、容易に発光ダイオード１９を点灯させておくことができる。タッチセンサ３１は、図７に示した制御部品１８に接続され、制御部品１８はこのタッチセンサ３１に人体が接近又は接触したとき、これを検知して発光ダイオード１９への電源供給をＯＮにする。
【００４５】
ここで、制御部品１８（制御回路）は、タッチセンサ２０，３１に人体が接近又は接触している間は発光ダイオード１９を点灯させるとともに、タッチセンサ２０，３１から人体が一定の距離以上に離間したとき発光ダイオード１９を消灯させる構成とする以外にも、例えば、タッチセンサ２０，３１に操作者の手が触れる毎、交互に発光ダイオードをＯＮ／ＯＦＦさせるように構成してもよい。また、タイマー機能を付加して、発光ダイオード１９を点灯してから所定の時間が経過した後に発光ダイオード１９を消灯する構成とすることもできる。
【００４６】
また、図１７に示すように、取手本体１１にマイクロスイッチ等のメカニカルスイッチ４０を設け、このメカニカルスイッチ４０が操作ハンドル１２の常態位置（同図（ａ））からの回動を検知したとき（同図（ｂ））、回路基板１５に搭載された制御回路（図示せず）が発光ダイオード１９を点灯する構成としてもよい。
【００４７】
さらに、図１８に示すように、ラゲージフロア床面に設けられた収納凹部１の開口縁部か、あるいはフロアボード２の縁部にマイクロスイッチ等のメカニカルスイッチ４０を設け、このメカニカルスイッチ４０がフロアボード２の常態位置（同図（ａ））からの開き動作を検知したとき（同図（ｂ））、回路基板１５に搭載された制御回路（図示せず）が発光ダイオード１９を点灯する構成としてもよい。
【００４８】
フロアボード２が収納凹部１の開口部から着脱自在であるときは、フロアボード２又は取手ユニット１０に発光ダイオード１９へ電力を供給するための電池を組み込むことで、自動車バッテリーにつなげる電源コード２３ａ，２３ｂを不要にでき、構成をすっきりとまとめることができる。フロアボード２又は取手ユニット１０に組み込んだ電池を充電式とし、フロアボード２が常態にあるとき当該充電式電池を充電する構造を設けておくこともできる。
【００４９】
また、本発明の照明装置が組み込まれる取手ユニット１０は、例えば、特開２００３−１２０１０１号公報に開示されたようなフロアボード２の開閉ロック機能を有するものを適用することもできる。また、特開２００２−１７８４１１号公報に開示されたような裏カバーを有する取手ユニットを適用することもできる。この場合、少なくとも発光ダイオード１９等の光源は、裏カバーから裏面側に露出させておく。
【図面の簡単な説明】
【００５０】
【図１】ワゴンタイプの自動車のラゲージフロアを示す斜視図である。
【図２】フロアボードの表面を示す斜視図である。
【図３】本発明の実施形態に係る照明装置を構成する取手ユニットを示す斜視図である。
【図４】本発明の実施形態に係る照明装置の主要部が組み込まれる取手ユニットの裏面構造を示す分解斜視図である。
【図５】本発明の実施形態に係る照明装置の主要部が組み込まれた取手ユニットの断面図である。
【図６】取手ユニットの操作ハンドルとこれに組み込まれるタッチセンサを示す背面図である。
【図７】本発明の実施形態に係る照明装置の電気系統を示す回路ブロック図である。
【図８】本発明の実施形態に係る照明装置が組み込まれたフロアボードの裏面を示す斜視図である。
【図９】本発明の実施形態に係る照明装置の作用を説明するための断面図である。
【図１０】本発明の変形例・応用例を説明するための断面図である。
【図１１】本発明の他の変形例・応用例を説明するための斜視図である。
【図１２】図１１に示した本発明の変形例・応用例に関する作用を説明するための断面図である。
【図１３】本発明の更に他の変形例・応用例を説明するための斜視図である。
【図１４】図１３に示した本発明の変形例・応用例に関する作用を説明するための断面図である。
【図１５】本発明の更に他の変形例・応用例を説明するための分解斜視図である。
【図１６】図１５に示した本発明の変形例・応用例に関する作用を説明するための断面図である。
【図１７】本発明の更に他の変形例・応用例を説明するための断面図である。
【図１８】本発明の更に他の変形例・応用例を説明するための断面図である。
【符号の説明】
【００５１】
１：収納凹部、２：フロアボード、
１０：取手ユニット、１１：取手本体、１１ａ：凹部、１１ｂ：裏面凹部、１１ｃ：導入孔、１２：操作ハンドル、１２ｂ：切欠部、１２ｃ：把持部、１２ｄ：凹部、１２ｅ：押圧操作部、１５：回路基板、１６：反射ミラー、１７：拡散レンズ、１８：制御部品、１９：発光ダイオード、２０，３１：タッチセンサ、２１：導電コード、２２：コネクタ、２３ａ，２３ｂ：電源コード
４０：メカニカルスイッチ
【図１】
2007320422.tif 000003
【図２】
2007320422.tif 000004
【図３】
2007320422.tif 000005
【図４】
2007320422.tif 000006
【図５】
2007320422.tif 000007
【図６】
2007320422.tif 000008
【図７】
2007320422.tif 000009
【図８】
2007320422.tif 000010
【図９】
2007320422.tif 000011
【図１０】
2007320422.tif 000012
【図１１】
2007320422.tif 000013
【図１２】
2007320422.tif 000014
【図１３】
2007320422.tif 000015
【図１４】
2007320422.tif 000016
【図１５】
2007320422.tif 000017
【図１６】
2007320422.tif 000018
【図１７】
2007320422.tif 000019
【図１８】
2007320422.tif 000020